(57)【要約】【課題】従来の犬用被服は、背覆布に、胸覆布、前足覆布、腹覆布、後足覆布を延設し、背覆布の前後に首挿通部と尾尻挿通部を形成し、外周辺にマジックテープ（登録商標）を取付けたものが提供されている。しかし、着用させる場合、背中に背覆布を載せた状態で、各布をそれぞれマジックテープ（登録商標）を利用して着用させることになるが、犬は動き回るので着用に大変な手間がかかるなどの問題がある。【解決手段】後身ごろ部２と前身ごろ部３とスカート部４から構成され、後身ごろ部２に連設した左右の延出面２Ａ１、２Ａ２の先端に互いに係脱する連結手段２Ｄを設け、前身ごろ部３に連設した左右のバンド３Ｃ、３Ｄの先端に互いに係脱する連結手段３Ｅを設け、後身ごろ部２と前身ごろ部３は首挿入口５を形成した状態で縫合わされ、スカート部４の前方辺は、後身ごろ部２の後方長辺と縫合わされている。【選択図】　　　　図１
0003099174.tif 000002
【実用新案登録請求の範囲】
【請求項１】
後身ごろ部（２）と前身ごろ部（３）とスカート部（４）から構成され、後身ごろ部（２）は、平面略台形状に構成された布（２Ａ）と、布（２Ａ）の左右側辺の後方部分において外方に向け連設した左右の延出面（２Ａ１、２Ａ２）と、左右の延出面の先端に設けられた互いに係脱する連結手段（２Ｄ）から構成され、前身ごろ部（３）は、前身ごろ（３Ａ）と前身ごろから外方に向け連結された左右のバンド（３Ｃ、３Ｄ）と、左右のバンドの先端に設けられた互いに係脱する連結手段（３Ｅ）から構成され、後身ごろ部（２）と前身ごろ部（３）は首挿入口（５）を形成した状態で縫合わされ、スカート部（４）は、所望する寸法の左右に横長の布（４Ａ）における左方後部（４Ｂ）と右方後部（４Ｃ）を湾曲状に切除して構成され、このスカート部（４）の前方辺（４Ｄ）は、後身ごろ部（２）の後方長辺（２Ｃ）と縫合わされていることを特徴とするペット用ドレス。
【請求項２】
後身ごろ部（２）と前身ごろ部（３）とスカート部（４）から構成され、
後身ごろ部（２）は、平面略台形状に構成された布（２Ａ）と、布（２Ａ）の左右側辺の後方部分において外方に向け連設した左右の延出面（２Ａ１、２Ａ２）と、布（２Ａ）の前方短辺（２Ｂ）における左右部分に形成した後方向き傾斜辺（２Ｂ１、２Ｂ２）と、後方向き傾斜辺（２Ｂ１、２Ｂ２）間に形成された首挿入口形成用の凹円弧（２Ｂ３）と、布（２Ａ）の後方長辺（２Ｃ）における左右部分に形成した前方に向けた緩やかな湾曲辺（２Ｃ１、２Ｃ２）と、左右の延出面（２Ａ１、２Ａ２）の先端部分に設けた互いに係脱する連結手段（２Ｄ）から構成され、
前身ごろ部（３）は、前身ごろ（３Ａ）と左右のバンド（３Ｃ、３Ｄ）から構成され、前身ごろ（３Ａ）は、前後に長い略方形の布（３Ａ１）と、布（３Ａ１）の左右側辺の後方部分に、外方に向け連設した平面横向き略三角形状の延出面（３Ａ２、３Ａ３）と、この布（３Ａ１）の後方辺（３Ｂ）に形成された首挿入口形成用の凹円弧（３Ｂ１）から構成され、左のバンド（３Ｃ）は、布（３Ａ１）の左側辺の前方部分から外方に向け延出され、右のバンド（３Ｄ）は、布（３Ａ１）の右側辺の前方部分から外方に向け延出されていると共に、これら左のバンド（３Ｃ）と右のバンド（３Ｄ）の先端部分には互いに係脱する連結手段（３Ｅ）が設けられ、後身ごろ部（２）における左右の後方向き傾斜辺（２Ｂ１、２Ｂ２）と、前身ごろ部（３）における左右の延出面（３Ａ２、３Ａ３）の後方辺とを縫合わせることで、首挿入口形成用の凹円弧（２Ｂ３）と首挿入口形成用の凹円弧（３Ｂ１）による首挿入口（５）が形成され、
スカート部（４）は、所望する寸法の左右に横長の布（４Ａ）における左方後部（４Ｂ）と右方後部（４Ｃ）を湾曲状に切除して構成され、このスカート部（４）の前方辺（４Ｄ）は、ギャザーをよせながら後身ごろ部（２）の後方長辺（２Ｃ）と縫合わされていることを特徴とするペット用ドレス。
【請求項３】
請求項１あるいは請求項２記載のペット用ドレスにおいて、当該ペット用ドレスの外周と首挿入口（５）の内周にフリル（６）が添着されていると共に、スカート部（４）の外周部分、右のバンド（３Ｄ）の先端部分、後身ごろ部（２）における首挿入口（５）の近傍部分にはリボン（７）がそれぞれ取付けられていることを特徴とするペット用ドレス。
【請求項４】
請求項１あるいは請求項２記載のペット用ドレスにおいて、連結手段（２Ｄ）と連結手段（３Ｅ）は、マジックテープ（登録商標）であることを特徴とするペット用ドレス。
【考案の詳細な説明】
【０００１】
【考案の属する技術分野】
本考案は、特に犬に好適なペット用ドレスに関するものである。
【０００２】
【従来の技術】
従来、この種のものにあっては、下記のようなものになっている。
背中を覆う背覆布を中心として、胸覆布、前足覆布、腹覆布、後足覆布を左右対称に延設し、背覆布の前後に首挿通部と尾尻挿通部を形成し、胸覆布、前足覆布、腹覆布、後足覆布の外周辺にマジックテープ（登録商標）を取付けたものが提供されている。（「特許文献１」参照）
【０００３】
【特許文献１】
特開平１１−２１５９２７号公報
【０００４】
【考案が解決しようとする課題】
従来の技術で述べたものにあっては、下記のような問題点を有していた。
犬に着用させる場合、背中に背覆布を載せた状態で、胸覆布、前足覆布、腹覆布、後足覆布をそれぞれマジックテープ（登録商標）を利用して着用させることになるが、犬は動き回るので着用に大変な手間がかかる。
【０００５】
本考案は、従来の技術の有するこのような問題点に鑑みなされたものであり、その目的とするところは、上述の問題を解決できるものを提供しようとするものである。
【０００６】
【課題を解決するための手段】
上記目的を達成するために、本考案のものは下記のようになるものである。
すなわち、
請求項１記載の考案は、後身ごろ部２と前身ごろ部３とスカート部４から構成され、
Ａ．後身ごろ部２は、平面略台形状に構成された布２Ａと、布２Ａの左右側辺の後方部分において外方に向け連設した左右の延出面２Ａ１、２Ａ２と、左右の延出面の先端に設けられた互いに係脱する連結手段２Ｄから構成され、
Ｂ．前身ごろ部３は、前身ごろ３Ａと前身ごろから外方に向け連結された左右のバンド３Ｃ、３Ｄと、左右のバンドの先端に設けられた互いに係脱する連結手段３Ｅから構成され、後身ごろ部２と前身ごろ部３は首挿入口５を形成した状態で縫合わされ、
Ｃ．スカート部４は、所望する寸法の左右に横長の布４Ａにおける左方後部４Ｂと右方後部４Ｃを湾曲状に切除して構成され、このスカート部４の前方辺４Ｄは、後身ごろ部２の後方長辺２Ｃと縫合わされていることを特徴とするものである。
【０００７】
請求項２記載の考案は、後身ごろ部２と前身ごろ部３とスカート部４から構成され、
Ａ．後身ごろ部２は、平面略台形状に構成された布２Ａと、布２Ａの左右側辺の後方部分において外方に向け連設した左右の延出面２Ａ１、２Ａ２と、布２Ａの前方短辺２Ｂにおける左右部分に形成した後方向き傾斜辺２Ｂ１、２Ｂ２と、後方向き傾斜辺２Ｂ１、２Ｂ２間に形成された首挿入口形成用の凹円弧２Ｂ３と、布２Ａの後方長辺２Ｃにおける左右部分に形成した前方に向けた緩やかな湾曲辺２Ｃ１、２Ｃ２と、左右の延出面２Ａ１、２Ａ２の先端部分に設けた互いに係脱する連結手段２Ｄから構成され、
Ｂ．前身ごろ部３は、前身ごろ３Ａと左右のバンド３Ｃ、３Ｄから構成され、前身ごろ３Ａは、前後に長い略方形の布３Ａ１と、布３Ａ１の左右側辺の後方部分に、外方に向け連設した平面横向き略三角形状の延出面３Ａ２、３Ａ３と、この布３Ａ１の後方辺３Ｂに形成された首挿入口形成用の凹円弧３Ｂ１から構成され、
左のバンド３Ｃは、布３Ａ１の左側辺の前方部分から外方に向け延出され、右のバンド３Ｄは、布３Ａ１の右側辺の前方部分から外方に向け延出されていると共に、これら左のバンド３Ｃと右のバンド３Ｄの先端部分には互いに係脱する連結手段３Ｅが設けられ、
後身ごろ部２における左右の後方向き傾斜辺２Ｂ１、２Ｂ２と、前身ごろ部３における左右の延出面３Ａ２、３Ａ３の後方辺とを縫合わせることで、首挿入口形成用の凹円弧２Ｂ３と首挿入口形成用の凹円弧３Ｂ１による首挿入口５が形成され、
Ｃ．スカート部４は、所望する寸法の左右に横長の布４Ａにおける左方後部４Ｂと右方後部４Ｃを湾曲状に切除して構成され、このスカート部４の前方辺４Ｄは、ギャザーをよせながら後身ごろ部２の後方長辺２Ｃと縫合わされていることを特徴とするものである。
【０００８】
請求項３記載の考案は、請求項１あるいは請求項２記載の考案において、ペット用ドレスの外周と首挿入口５の内周にフリル６が添着されていると共に、スカート部４の外周部分、右のバンド３Ｄの先端部分、後身ごろ部２における首挿入口５の近傍部分にはリボン７がそれぞれ取付けられていることを特徴とするものである。
【０００９】
請求項４記載の考案は、請求項１あるいは請求項２記載の考案において、連結手段２Ｄと連結手段３Ｅは、マジックテープ（登録商標）であることを特徴とするものである。
【００１０】
【考案の実施の形態】
実施の形態について図面を参照して説明する。
１は本考案のペット用ドレスで、後身ごろ部２と前身ごろ部３とスカート部４から構成されている。
Ａ．後身ごろ部２は、平面略台形状に構成された布２Ａと、布２Ａの左右側辺の後方部分において外方に向け連設した左右の延出面２Ａ１、２Ａ２と、布２Ａの前方短辺２Ｂにおける左右部分に形成した後方向き傾斜辺２Ｂ１、２Ｂ２と、後方向き傾斜辺２Ｂ１、２Ｂ２間に形成された首挿入口形成用の凹円弧２Ｂ３と、布２Ａの後方長辺２Ｃにおける左右部分に形成した前方に向けた緩やかな湾曲辺２Ｃ１、２Ｃ２と、左右の延出面２Ａ１、２Ａ２の先端部分に設けた互いに係脱する連結手段２Ｄから構成されている。
なお、連結手段２Ｄとしては、ホック、ボタン、ひもなどがあるが、マジックテープ（登録商標）が好適である。
【００１１】
Ｂ．前身ごろ部３は、前身ごろ３Ａと左右のバンド３Ｃ、３Ｄから構成されている。
ｂ１．前身ごろ３Ａは、前後に長い略方形の布３Ａ１と、布３Ａ１の左右側辺の後方部分に、外方に向け連設した平面横向き略三角形状の延出面３Ａ２、３Ａ３と、この布３Ａ１の後方辺３Ｂに形成された首挿入口形成用の凹円弧３Ｂ１から構成されている。
ｂ２．左のバンド３Ｃは、布３Ａ１の左側辺の前方部分から外方に向け延出され、右のバンド３Ｄは、布３Ａ１の右側辺の前方部分から外方に向け延出されていると共に、これら左のバンド３Ｃと右のバンド３Ｄの先端部分には互いに係脱する連結手段３Ｅが設けられている。
なお、連結手段３Ｅとしては、ホック、ボタン、ひもなどがあるが、マジックテープ（登録商標）が好適である。
ｂ３．後身ごろ部２における左右の後方向き傾斜辺２Ｂ１、２Ｂ２と、前身ごろ部３における左右の延出面３Ａ２、３Ａ３の後方辺とを縫合わせることで、首挿入口形成用の凹円弧２Ｂ３と首挿入口形成用の凹円弧３Ｂ１による首挿入口５が形成されている。
【００１２】
Ｃ．スカート部４は、所望する寸法の左右に横長の布４Ａにおける左方後部４Ｂと右方後部４Ｃを湾曲状に切除して構成されている。
そして、このスカート部４の前方辺４Ｄは、ギャザーをよせながら後身ごろ部２の後方長辺２Ｃと縫合わされている。
Ｄ．ペット用ドレス１の外周と首挿入口５の内周にフリル６が添着されていると共に、スカート部４の外周部分、右のバンド３Ｄの先端部分、後身ごろ部２における首挿入口５の近傍部分にはリボン７がそれぞれ取付けられている。
【００１３】
【考案の効果】
本考案は、上述の通り構成されているので次に記載する効果を奏する。
飼い主はペット（犬）と向かい合ったまま着用させることができる。
すなわち、首挿入口５にペットの頭や顔を通す。
後身ごろ部２でペットの背を覆ったのち、左右の延出面２Ａ１、２Ａ２をペットの腹の側方から下腹部に当てて連結手段２Ｄで固定する。
こののち、前身ごろ部３における前身ごろ３Ａをペットの胸部分に下方から当てて、左右のバンド３Ｃ、３Ｄを背中の方に回し、そのまま連結手段３Ｅで固定する。
この場合、連結手段としてマジックテープ（登録商標）を使用すると、着用は包み込むようにワンタッチで止めることができる。
この結果、動き回るペットに対して、着脱を極めて容易かつ確実に行うことができる。
また、着用した後はズレることなく、ペットに負担をかけずに着用させることができる。
ペットの記念撮影などの際に、かわいらしく表現できると共に、あらかじめ結んであるリボンをあしらい、ドレス本来の美しさを壊さず、ゴージャスにおしゃれな感じを充分表現できる。
このほか、安価に製造できる、部品点数が少ないので仕立てが容易である、などの効果をも有するものである。
【図面の簡単な説明】
【図１】斜視図である。
【図２】分解した状態の平面図である。
【図３】分解した状態の平面図である。
【図４】分解した状態の平面図である。
【図５】装着状態を説明する斜視図である。
【図６】装着状態を説明する斜視図である。
【図７】装着状態を説明する斜視図である。
【図８】斜視図である。
【符号の説明】
１　ペット用ドレス
２　後身ごろ部
３　前身ごろ部
４　スカート部
【図１】
0003099174.tif 000003
【図２】
0003099174.tif 000004
【図３】
0003099174.tif 000005
【図４】
0003099174.tif 000006
【図５】
0003099174.tif 000007
【図６】
0003099174.tif 000008
【図７】
0003099174.tif 000009
【図８】
0003099174.tif 000010